(57)【要約】【課題】ユーザの状況に応じてユーザに推奨するトイレを選定することが可能なプログラムを提供すること。【解決手段】コンピュータに、トイレに関する情報と、ユーザの排泄に関する情報と、ユーザがトイレに行くことができない時間を示す排泄不可時間と、に基づいてユーザに推奨するトイレを選定するトイレ選定ステップを実行させるための、トイレ選定プログラム。【選択図】図４
2020085594.tif 000002
【特許請求の範囲】
【請求項１】
コンピュータに、
トイレに関する情報と、ユーザの排泄に関する情報と、ユーザがトイレに行くことができない時間を示す排泄不可時間と、に基づいてユーザに推奨するトイレを選定するトイレ選定ステップを実行させるための、トイレ選定プログラム。
【請求項２】
前記ユーザの排泄に関する情報は、ユーザの体内の内容物が排泄されるまでの時間を示す排泄到達時間を含む、請求項１に記載のトイレ選定プログラム。
【請求項３】
前記トイレ選定ステップにおいて、前記排泄到達時間から前記排泄不可時間を差し引いた余裕時間に基づいてトイレを選定する、請求項２に記載のトイレ選定プログラム。
【請求項４】
前記コンピュータに、
選定されたトイレの情報をユーザ端末の表示部に表示する表示ステップを実行させるための、請求項１から３のいずれか一項に記載のトイレ選定プログラム。
【請求項５】
前記表示ステップにおいて、前記選定されたトイレの情報を地図上に表示する、請求項４に記載のトイレ選定プログラム。
【請求項６】
前記排泄不可時間は、ユーザによって入力された時間である、請求項１から５のいずれか一項に記載のトイレ選定プログラム。
【請求項７】
前記トイレ選定ステップにおいて、前記トイレに関する情報に含まれるトイレの属性に基づいてトイレを選定する、請求項１から６のいずれか一項に記載のトイレ選定プログラム。
【請求項８】
前記コンピュータに、
ユーザの位置情報を取得する位置情報取得ステップを実行させ、
前記トイレ選定ステップにおいて、前記位置情報に基づいてトイレを選定する、請求項１から７のいずれか一項に記載のトイレ選定プログラム。
【請求項９】
前記コンピュータに、
排泄予測装置から送信されたユーザの排泄予測に関する情報を受信する受信ステップを実行させ、
前記トイレ選定ステップにおいて、前記排泄に関する情報として前記排泄予測に関する情報を用いる、請求項１から８のいずれか一項に記載のトイレ選定プログラム。
【請求項１０】
トイレに関する情報と、ユーザの排泄に関する情報と、ユーザがトイレに行くことができない時間を示す排泄不可時間と、に基づいてユーザに推奨するトイレを選定するトイレ選定部を備える、トイレ選定装置。
【請求項１１】
ユーザ端末とサーバ装置とがネットワークを介して通信可能に接続されたトイレ選定システムであり、
前記ユーザ端末又は前記サーバ装置のいずれか一方が、
トイレに関する情報と、ユーザの排泄に関する情報と、ユーザがトイレに行くことができない時間を示す排泄不可時間と、に基づいてユーザに推奨するトイレを選定するトイレ選定部を備える、トイレ選定システム。
【請求項１２】
コンピュータが備えるトイレ選定部が、
トイレに関する情報と、ユーザの排泄に関する情報と、ユーザがトイレに行くことができない時間を示す排泄不可時間と、に基づいてユーザに推奨するトイレを選定するトイレ選定ステップを実行することを含む、トイレ選定方法。
【発明の詳細な説明】
【技術分野】
【０００１】
本発明は、ユーザに推奨するトイレを選定するトイレ選定プログラム、トイレ選定装置、トイレ選定システム及びトイレ選定方法に関する。
【背景技術】
【０００２】
地図データとトイレの位置情報を組み合わせることにより、地図上にトイレの位置を表示する技術がある。また、この技術と携帯電話のＧＰＳ（Global Positioning System）機能を組み合わせることにより、ユーザの現在位置の付近にあるトイレをユーザに提示する技術がある。
【０００３】
特許文献１には、便器の周囲にパーティションが設けられて成るブースが少なくとも１つずつ配置されている複数のトイレの中から、前記ブースの使用を意図するユーザの求めに応じて、少なくとも１つの前記トイレを選択するトイレ選択システムが開示されている。
【先行技術文献】
【特許文献】
【０００４】
【特許文献１】特開２０１４−１７３８６１号公報
【発明の概要】
【発明が解決しようとする課題】
【０００５】
特許文献１に記載されているトイレ選択システムは、ユーザがトイレを使用したいと感じた時に利用する技術であると考えられる。しかしながら、本発明者は、ユーザがトイレを使用したいと感じていなくても、トイレに行っておくことが望ましい場合があることに着目した。例えば、トイレ設備がない電車や車の中に長時間乗らざるを得ない時や、長時間離席することができない会議に出席する時など、ユーザが長時間トイレに行くことができない状況が想定される場合などである。このような状況の場合には、ユーザが現時点でトイレを使用したいか否かに関わらず、ユーザの状況に応じて、トイレを提示する技術が有用であると本発明者は考えた。
【０００６】
そこで、本発明は、ユーザの状況に応じてユーザに推奨するトイレを選定することが可能なプログラムを提供することを主目的とする。
【課題を解決するための手段】
【０００７】
すなわち、本発明は、
コンピュータに、
トイレに関する情報と、ユーザの排泄に関する情報と、ユーザがトイレに行くことができない時間を示す排泄不可時間と、に基づいてユーザに推奨するトイレを選定するトイレ選定ステップを実行させるための、トイレ選定プログラムを提供する。
前記ユーザの排泄に関する情報は、ユーザの体内の内容物が排泄されるまでの時間を示す排泄到達時間を含んでもよい。
前記トイレ選定ステップにおいて、前記排泄到達時間から前記排泄不可時間を差し引いた余裕時間に基づいてトイレを選定してもよい。
前記トイレ選定プログラムは、選定されたトイレの情報をユーザ端末の表示部に表示する表示ステップを前記コンピュータに実行させるためのプログラムであってもよい。
前記表示ステップにおいて、前記選定されたトイレの情報は地図上に表示されてもよい。
前記排泄不可時間は、ユーザによって入力された時間であってもよい。
前記トイレ選定ステップにおいて、前記トイレに関する情報に含まれるトイレの属性に基づいてトイレが選定されてもよい。
前記トイレ選定プログラムは、ユーザの位置情報を取得する位置情報取得ステップを前記コンピュータに実行させるプログラムであってもよく、前記トイレ選定ステップにおいて、前記位置情報に基づいてトイレが選定されてもよい。
前記トイレ選定プログラムは、排泄予測装置から送信されたユーザの排泄予測に関する情報を受信する受信ステップを前記コンピュータに実行させるプログラムであってもよく、前記トイレ選定ステップにおいて、前記排泄に関する情報として前記排泄予測に関する情報が用いられてもよい。
【０００８】
また、本発明は、
トイレに関する情報と、ユーザの排泄に関する情報と、ユーザがトイレに行くことができない時間を示す排泄不可時間と、に基づいてユーザに推奨するトイレを選定するトイレ選定部を備える、トイレ選定装置を提供する。
【０００９】
また、本発明は、
ユーザ端末とサーバ装置とがネットワークを介して通信可能に接続されたトイレ選定システムであり、
前記ユーザ端末又は前記サーバ装置のいずれか一方が、
トイレに関する情報と、ユーザの排泄に関する情報と、ユーザがトイレに行くことができない時間を示す排泄不可時間と、に基づいてユーザに推奨するトイレを選定するトイレ選定部を備える、トイレ選定システムを提供する。
【００１０】
また、本発明は、
コンピュータが備えるトイレ選定部が、
トイレに関する情報と、ユーザの排泄に関する情報と、ユーザがトイレに行くことができない時間を示す排泄不可時間と、に基づいてユーザに推奨するトイレを選定するトイレ選定ステップを実行することを含む、トイレ選定方法を提供する。
【発明の効果】
【００１１】
本発明によれば、ユーザの状況に応じてユーザに推奨するトイレを選定することが可能なプログラムを提供することが可能である。なお、本発明の効果は、ここに記載された効果に必ずしも限定されるものではなく、本明細書中に記載されたいずれかの効果であってもよい。
【図面の簡単な説明】
【００１２】
【図１】トイレ選定システム１のシステム構成の一例を示す図である。
【図２】ユーザ端末１０のハードウェア構成の一例を示す図である。
【図３】データ送信サーバ２０のハードウェア構成の一例を示す図である。
【図４】ユーザ端末１０の機能構成の一例を示す図である。
【図５】データ送信サーバ２０の機能構成の一例を示す図である。
【図６】表示部１０５が表示するトイレの情報の一例を示す図である。
【図７】表示部１０５が表示するトイレの情報の一例を示す図である。
【図８】ユーザ端末１０が実行する処理の一例を示すフローチャートである。
【図９】ユーザ端末１０が実行する処理の一例を示すフローチャートである。
【図１０】ユーザ端末１０が実行する処理の一例を示すフローチャートである。
【図１１】ユーザ端末１０が実行する処理の一例を示すフローチャートである。
【図１２】ユーザ端末１０が実行する処理の一例を示すフローチャートである。
【図１３】ユーザ端末１０が実行する処理の一例を示すフローチャートである。
【図１４】トイレ選定システム１Ａのシステム構成の一例を示す図である。
【図１５】ユーザ端末１０Ａの機能構成の一例を示す図である。
【発明を実施するための形態】
【００１３】
＜１．第１実施形態＞
（１）システムの構成
まず、図１を参照して、第１実施形態に係るトイレ選定システム１のシステム構成について説明する。図１は、トイレ選定システム１のシステム構成の一例を示す図である。トイレ選定システム１は、ユーザ端末１０及びデータ送信サーバ２０を備える。ユーザ端末１０及びデータ送信サーバ２０は、インターネットなどのネットワーク３０を介して通信可能に接続されている。ネットワーク３０は、インターネットに限定されるものではなく、ユーザ端末１０とデータ送信サーバ２０とを通信可能に接続できるものであれば、例えば、専用回線、公衆回線（電話回線、移動体通信回線など）、有線ＬＡＮ（Local Area Network）、無線ＬＡＮなどであってもよく、インターネットとこれらを組み合わせたものであってもよい。なお、図１では１つのユーザ端末１０を図示しているが、トイレ選定システム１においてユーザ端末１０は２以上でありうる。
【００１４】
トイレ選定システム１において、ユーザ端末１０は、ネットワーク３０を介してデータ送信サーバ２０からダウンロードしたトイレ選定プログラムを実行する。当該トイレ選定プログラムは、本発明の一実施形態に係るプログラムである。
【００１５】
ユーザ端末１０は、本発明におけるコンピュータの一例である。本発明におけるコンピュータは、上記トイレ選定プログラムが実行されることにより、トイレ選定装置として機能する。すなわち、ユーザ端末１０は、トイレ選定装置の一例である。
【００１６】
（２）ハードウェア構成
次に、図２及び図３を参照して、第１実施形態に係るトイレ選定システム１のハードウェア構成について説明する。図２は、ユーザ端末１０のハードウェア構成の一例を示す図である。図３は、データ送信サーバ２０のハードウェア構成の一例を示す図である。
【００１７】
図２に示すように、ユーザ端末１０は、制御装置１１、記憶装置１２、通信装置１３、表示装置１４、入力装置１５及び位置情報取得装置１６を備える。ユーザ端末１０は、例えば、スマートフォン、携帯電話、タブレット端末、パーソナルコンピュータなどである。
【００１８】
制御装置１１は、例えばＣＰＵ（Central Processing Unit）、ＲＯＭ（Read Only Memory）、ＲＡＭ（Random Access Memory）などにより構成されており、ユーザ端末１０が備える各部を制御する。また、制御装置１１は、記憶装置１２に記憶された情報及びプログラムなどを読み込んで実行する。記憶装置１２は、例えばフラッシュメモリなどの不揮発性メモリなどにより構成されており、ＯＳ（Operating System）やユーザ端末１０の各種機能を制御するプログラム、データ送信サーバ２０からダウンロードされたトイレ選定プログラムなどを記憶する。本実施形態のユーザ端末１０は、記憶装置１２に記憶されたトイレ選定プログラムが制御装置１１によって実行されることにより、トイレ選定装置として機能する。
【００１９】
通信装置１３は、通信を媒介する通信インタフェースである。表示装置１４は、文字や画像などの表示を行う。入力装置１５は、ユーザの入力操作に応じた入力信号を生成する。ユーザ端末１０にディスプレイ及び操作ボタンなどを設けることにより表示装置１４と入力装置１５とを別々に構成してもよく、ユーザ端末１０にタッチパネルを設けることにより表示装置１４と入力装置１５とを一体に構成してもよい。
【００２０】
位置情報取得装置１６は、例えばＧＰＳ（Global Positioning System）受信機などにより構成されており、ユーザ端末１０の位置情報を取得する。位置情報取得装置１６の他の例としては、無線ＬＡＮによる測位技術、加速度センサによる測位技術、又は機器が発信した電波を受信することによる測位技術を利用する装置や、電気通信事業者の基地局情報を利用する装置などが挙げられる。
【００２１】
なお、ユーザ端末は、トイレ選定プログラムを実行するコンピュータの一例であるが、トイレ選定プログラムを実行するコンピュータはユーザ端末に限定されない。後述するユーザ端末の機能の一部又は全部を有するサーバ装置をコンピュータとして用いてもよい。つまり、本発明におけるコンピュータは、ユーザ端末であってもよく、サーバ装置であってもよく、相互に通信するユーザ端末及びサーバ装置であってもよい。
【００２２】
データ送信サーバ２０は、サーバ装置の一例である。図３に示すように、データ送信サーバ２０は、制御装置２１、記憶装置２２、通信装置２３を備える。制御装置２１は、例えばＣＰＵ、ＲＯＭ、ＲＡＭなどにより構成されており、データ送信サーバ２０が備える各部を制御する。また、制御装置２１は、記憶装置２２に記憶された情報及びプログラムなどを読み込んで実行する。記憶装置２２は、例えばハードディスクドライブなどにより構成されており、ＯＳ及びトイレ選定プログラムなどを記憶する。通信装置２３は、通信を媒介する通信インタフェースである。
【００２３】
（３）機能構成
次に、図４及び図５を参照して、第１実施形態に係るトイレ選定システム１の機能構成について説明する。図４は、ユーザ端末１０の機能構成の一例を示す図である。図５は、データ送信サーバ２０の機能構成の一例を示す図である。
【００２４】
図４に示すように、ユーザ端末１０は、トイレ情報記憶部１０１、排泄情報記憶部１０２、設定部１０３、トイレ選定部１０４、表示部１０５、入力部１０６及び位置情報取得部１０７を備える。これらの各機能部は、基本的に、ユーザ端末１０の制御装置１１が本発明の一実施形態に係るトイレ選定プログラムを実行することにより実現されるものである。
【００２５】
トイレ情報記憶部１０１は、記憶装置１２により実現され、トイレに関する情報を記憶する。排泄情報記憶部１０２は、記憶装置１２により実現され、ユーザの排泄に関する情報を記憶する。設定部１０３は、制御装置１１により実現され、ユーザの排泄に関する情報を扱う処理などを実行する。トイレ選定部１０４は、制御装置１１及び記憶装置１２などにより実現され、記憶装置１２に記憶されている情報を参照し、ユーザに推奨するトイレを選定するトイレ選定ステップを実行する。表示部１０５は、表示装置１４により実現され、選定されたトイレの情報を表示する表示ステップを実行する。入力部１０６は、入力装置１５により実現され、ユーザの入力操作に応じた入力信号を生成する。位置情報取得部１０７は、位置情報取得装置１６により実現され、ユーザ端末１０の位置情報を取得する位置情報取得ステップを実行する。
【００２６】
なお、本実施形態におけるユーザは、トイレ選定システム１から情報を取得する者であればよく、ユーザ端末の所有者に限定されるものではない。すなわち、トイレ選定システム１から情報を取得する者とユーザ端末の所有者は、同一でもよく異なってもよい。
【００２７】
図５に示すように、データ送信サーバ２０は、制御装置２１により実現される制御部２０１、記憶装置２２により実現される記憶部２０２及び通信装置２３により実現される通信部２３を備える。制御部２０１は、ユーザ端末１０からの要求に応じて、記憶部２０２に記憶されているトイレ選定プログラムを、通信部２０３及びネットワーク３０を介してユーザ端末１０へ送信する機能を備える。
【００２８】
次に、図４に戻り、ユーザ端末１０の機能構成について、更に詳細に説明する。
【００２９】
トイレ情報記憶部１０１は、トイレに関する情報を記憶する。トイレに関する情報には、トイレの位置情報が含まれる。トイレの位置情報は、例えば、緯度及び経度により表されてもよく、予め設定された座標により表されてもよい。
【００３０】
トイレに関する情報には、トイレの属性が含まれることが好ましい。トイレの属性は、トイレ選定部１０４がトイレを選定する際の指標として用いられうる。トイレの属性としては、例えば、便器の形状（和式又は洋式）、温水洗浄便座の有無、トイレットペーパーの備え付けの有無、ベビーチェアの有無、便器の個数、トイレの設置場所、トイレが設置されている建物の階数、有料か無料か、使用中か否か、清潔度、トイレに入る際の心理的抵抗の大小、使用日時や使用回数などのユーザのトイレ使用履歴などが挙げられる。
【００３１】
トイレに入る際の心理的抵抗について具体的な例を挙げる。例えば、レストランに設置されているトイレの場合、一般的に、レストランを利用せずにトイレだけを利用することには抵抗を感じる人が多いと考えられるため、当該トイレの属性としての心理的抵抗は大きい。一方、無料の公衆トイレであれば、上述したレストランに設置されているトイレの場合のような抵抗を感じにくいと考えられるため、当該トイレの属性としての心理的抵抗は小さい。
【００３２】
ユーザのトイレ使用履歴は、例えば、ユーザが好んで使用するトイレをトイレ選定部１０４が選定する際の指標となりうる。例えば、トイレの使用履歴として洋式トイレの使用回数と和式トイレの使用回数を保持し、和式トイレの使用回数よりも洋式トイレの使用回数の方が多ければ、ユーザは洋式トイレを好んで使用すると判断できる。また、例えば、トイレの使用履歴として温水洗浄便座付きトイレの使用回数と温水洗浄便座なしのトイレの使用回数を保持し、温水洗浄便座付きトイレの使用回数が温水洗浄便座なしのトイレの使用回数よりも多ければ、ユーザは温水洗浄便座付きトイレを好んで使用すると判断できる。
【００３３】
排泄情報記憶部１０２は、ユーザの排泄に関する情報を記憶する。排泄に関する情報としては、例えば、ユーザの体内の内容物が排泄されるまでの時間を示す排泄到達時間、ユーザがトイレに行くことができない時間を示す排泄不可時間、体内に存在する排泄物の量、膀胱の容量、消化管の状態などが挙げられる。
【００３４】
消化管の状態としては、例えば、蠕動運動の動き、直腸の便量、直腸の膨らみなどが挙げられる。
【００３５】
排泄不可時間としては、例えば、トイレ設備がない乗り物に乗っている時間、離席することができない会議に出席している時間などが挙げられるが、これらに限定されるものではなくユーザの状況に応じた時間とすればよい。
【００３６】
排泄到達時間及び排泄不可時間などの排泄に関する情報は、設定部１０３から出力される情報でもよく、入力部１０６を介してユーザにより入力された情報でもよい。また、ユーザ端末１０は、データ送信サーバ２０又は他の装置から送信された情報を受信してもよく、設定部１０３は、受信された当該情報を排泄に関する情報として利用してもよい。上記他の装置としては、例えば、後段の第２実施形態で説明する排泄予測装置が挙げられる。
【００３７】
設定部１０３は、ユーザの排泄に関する情報を扱う処理などを実行する。例えば、設定部１０３は、ユーザの体内の内容物が排泄されるまでの時間を示す排泄到達時間を設定する。排泄到達時間の設定方法は、特に限定されない。設定部１０３は、記憶装置２２に記憶されている情報に基づいて排泄到達時間を演算し設定してもよく、データ送信サーバ２０又は他の装置（例えば排泄予測装置）から送信された情報に基づいて排泄到達時間を演算し設定してもよい。より具体的な例としては、設定部１０３は、ユーザの膀胱の容量と膀胱内の残尿量とに基づいて残尿量が膀胱の容量に到達する時間を演算し、当該時間を排泄到達時間として設定してもよい。設定部１０３は、消化管の生体活動性に関する計測情報から蠕動運動の活動性に関する情報を抽出することで蠕動運動の活動性の度合いを示す活動性スコアを演算し、当該活動性スコアに基づいて算出される便の移動速度を用いて排泄到達時間を演算し設定してもよい。
【００３８】
なお、排泄物が尿の場合、膀胱に徐々に尿が溜まるため、排泄到達時間は時間の経過とともに徐々に減少していく傾向にある。一方、排泄物が便の場合、大きな蠕動運動（大蠕動運動）が発生すると突発的に便意を感じる場合があることから、排泄到達時間が急激に短くなる場合がある。つまり、排泄到達時間は、必ずしも経過時間と相関するように変動するとは限らず、排泄物が尿であるか便であるかによって変動の態様が異なる。
【００３９】
上述した具体例における膀胱の容量に到達する時間や便の移動速度は、データ送信サーバ２０又は他の装置（例えば排泄予測装置）からユーザ端末１０が受信したものであってもよい。
【００４０】
また、設定部１０３は、ユーザがトイレに行くことができない時間を示す排泄不可時間を設定することができる。排泄不可時間の設定方法は、特に限定されない。例えば、設定部１０３は、入力部１０６を介してユーザにより入力された値を排泄不可時間として設定してもよい。設定部１０３は、記憶装置２２に記憶されている情報や、記憶装置２２に記憶されている他のプログラムから出力される情報、位置情報取得部１０７が取得した情報などに基づいて排泄不可時間を演算し設定してもよい。設定部１０３は、データ送信サーバ２０又は他の装置（例えば排泄予測装置）から送信された情報に基づいて排泄不可時間を演算し設定してもよい。
【００４１】
排泄不可時間の設定方法について、より具体的な例を挙げて説明する。例えば、ユーザが目的地までの移動中にトイレへ行くことができない状況の場合、設定部１０３は、ユーザ端末１０の現在位置の情報と目的地までの距離の情報と移動手段の情報とに基づいて、排泄不可時間を演算し設定してもよい。ユーザが車で高速道路を移動する場合、設定部１０３は、ユーザ端末１０に予めインストールされている地図情報を管理するソフトウェアと連携して現在位置から最も近いサービスエリアまでの所要時間を取得し、当該所要時間を排泄不可時間として設定してもよい。ユーザが電車を利用する場合、設定部１０３は、ユーザ端末１０に予めインストールされている電車の乗換経路を検索するソフトウェアと連携してユーザの乗車時間を取得し、当該乗車時間を排泄不可時間として設定してもよい。設定部１０３は、ユーザ端末１０に予めインストールされているユーザの行動予定を管理するソフトウェアと連携してユーザが会議に出席する予定の時間を取得し、当該時間を排泄不可時間として設定してもよい。
【００４２】
トイレ選定部１０４は、トイレに関する情報と、ユーザの排泄に関する情報と、ユーザがトイレに行くことができない時間を示す排泄不可時間と、に基づいてユーザに推奨するトイレを選定する。より詳細には、トイレ選定部１０４は、トイレに関する情報と、ユーザの排泄に関する情報及び排泄不可時間から予測されるユーザの状況と、に基づいて、ユーザに推奨するトイレを選定する。選定されるトイレの数は、１つでもよく２つ以上でもよい。
【００４３】
トイレ選定部１０４は、ユーザの排泄に関する情報の中から、例えば、ユーザの体内の内容物が排泄されるまでの時間を示す排泄到達時間を取得し、当該排泄到達時間と、排泄不可時間と、を比較することによりユーザの状況を予測する。例えば、トイレ選定部１０４は、排泄到達時間から排泄不可時間を差し引くことにより算出される余裕時間に基づいて、ユーザの状況を予測することができる。
【００４４】
余裕時間は、排泄不可時間が経過した後でもユーザがトイレに行くことが可能な時間を示す。例えば、排泄到達時間が３時間であり、排泄不可時間が２時間である場合、排泄到達時間から排泄不可時間を差し引いた余裕時間は１時間である。この場合、排泄不可時間が経過した後でも、トイレに行く時間的余裕が１時間あることを意味する。一方、例えば、排泄到達時間が２時間であり、排泄不可時間が３時間である場合、排泄到達時間から排泄不可時間を差し引いた余裕時間はマイナス１時間である。余裕時間がマイナスであることは、排泄不可時間が経過する前に排泄到達時間が到来することを意味する。この場合、ユーザはトイレに行くことができない時間帯に尿意や便意を催す可能性が高いため、排泄不可時間が到来する前にできる限り早めにトイレへ行くことが望ましい。また、余裕時間が短いと、排泄不可時間が経過した後、排泄到達時間までの間に、ユーザがトイレに行けない可能性がある。このため、余裕時間が所定の値より短い場合、ユーザは排泄不可時間が到来する前にトイレに行くことが望ましい。このように、余裕時間の値は、ユーザの状況を予測するための指標の１つとなりうる。
【００４５】
余裕時間がマイナスの場合、トイレ選定部は、位置情報取得部１０７が取得したユーザ端末１０の現在の位置情報に基づいて、現在の位置から最も近いトイレを選定することが好ましい。また、余裕時間が所定の値より短い場合、トイレ選定部１０４は、位置情報取得部１０７が取得したユーザ端末１０の現在の位置情報に基づいて、余裕時間の範囲内で行くことが可能なトイレを選定することが好ましい。
【００４６】
なお、上記所定の値は、予めトイレ選定部１０４に設定されていてもよく、ユーザが任意で設定した値であってもよい。また、設定された所定の値はユーザにより変更されてもよい。例えば、所定の値が１０分と設定されている場合、近辺に利用可能なトイレが多数存在しており１０分以内にトイレに行くことが可能な状況であれば問題ないが、１０分以内に行くことが可能なトイレが１つもない場所であると、トイレに行く前に排泄到達時間が到来してしまうおそれが高い。よって、現在位置付近の状況などに応じて、ユーザが上記所定の値を適宜変更してもよい。
【００４７】
トイレ選定部１０４は、ユーザの状況や好みにより適したトイレを推奨するために、トイレに関する情報に含まれるトイレの属性に基づいてトイレを選定することが好ましい。
【００４８】
また、トイレ選定部１０４は、ユーザの好みに応じたトイレを選定すべく、入力部１０６を介してユーザにより入力されたトイレの選定条件に応じてトイレを選定してもよい。トイレの選定条件の入力方法は、特に限定されない。例えば、下記（ａ）〜（ｆ）に示すように、トイレの属性ごとに選定条件の選択肢を設けて、ユーザに希望する選択肢を入力させる方法を採用してもよい。
【００４９】
（ａ）便器の形状：和式／洋式／どちらでもよい
（ｂ）温水洗浄便座：有／無／どちらでもよい
（ｃ）トイレットペーパーの備え付け：有／無／どちらでもよい
（ｄ）便器の数：１個以上／２個以上／３個以上／いくつでもよい
（ｅ）料金：有料／無料／どちらでもよい
（ｆ）場所：コンビニ／駅構内／デパート／レストラン／ホテル／公園／どこでもよい
【００５０】
表示部１０５は、選定されたトイレの情報を表示する。図６は、表示部１０５が表示するトイレの情報の一例を示す図である。表示の方法は特に限定されないが、表示部１０５は、選定されたトイレの情報を地図上に表示することが好ましい。この際、表示部１０５は、位置情報取得部１０７が取得した現在位置の情報をあわせて地図上に表示してもよい。図６に示す例では、トイレの形状のアイコンと人の形状のアイコンを地図上に表示しており、これによりトイレの位置とユーザ端末１０の現在位置とを示している。図７は、表示部１０５が表示するトイレの情報の他の一例を示す図である。表示部１０５は、図７に示すように、選定されたトイレの推奨順位を示す数字をトイレの形状のアイコンに重ねて表示してもよい。地図の情報は、予めユーザ端末１０の記憶装置１２に記憶されているものでもよく、インターネット上の地図サービスから提供される情報でもよい。
【００５１】
（４）動作
次に、図８から図１３を参照して、第１実施形態に係るトイレ選定システム１におけるトイレ選定方法について説明する。前提として、排泄情報記憶部１０２にはユーザがトイレに行くことができない時間を示す排泄不可時間が記憶されている。図８は、ユーザ端末１０が実行する処理の一例を示すフローチャートである。
【００５２】
設定部１０３は、ユーザの体内の内容物が排泄されるまでの時間を示す排泄到達時間を設定し（ステップＳ１１）、排泄到達時間から排泄不可時間を差し引くことにより算出される時間を余裕時間として設定する（ステップＳ１２）。設定部１０３は、余裕時間がマイナス又は所定の値より短いか否かを判定する（ステップＳ１３）。余裕時間がマイナス又は所定の値より短い場合（ステップＳ１３：Ｙｅｓ）、トイレ選定部１０４は、トイレに関する情報と余裕時間とに基づいてユーザに推奨するトイレを選定する（ステップＳ１４）。表示部１０５は、選定されたトイレの情報を表示する（ステップＳ１５）。
【００５３】
余裕時間がマイナスの場合、ユーザは、トイレに行くことができない時間帯にトイレに行きたくなる可能性が高い。余裕時間が所定の時間より短い場合、トイレに行くことができない時間が経過しても、時間的余裕が少ないためにユーザが実際にはトイレへ行けない可能性がある。いずれの場合も、ユーザは、尿意や便意を感じていなくても早めにトイレに行っておくべき状況にあるといえる。ユーザは、トイレ選定システム１を用いることで、尿意や便意に関係なく早めにトイレに行くべきか否かや、トイレに行くことを選択した場合に推奨されるトイレはどこにあるのか、などの情報を取得することができる。
【００５４】
図９は、ユーザ端末１０が実行する処理の他の一例を示すフローチャートである。次に、図９を参照して、トイレ選定部１０４が、トイレに関する情報に含まれるトイレの属性の１つであるトイレ使用履歴に基づいてトイレを選定する例を説明する。
【００５５】
設定部１０３は、ユーザの体内の内容物が排泄されるまでの時間を示す排泄到達時間を設定し（ステップＳ２１）、排泄到達時間から排泄不可時間を差し引くことにより算出される時間を余裕時間として設定する（ステップＳ２２）。設定部１０３は、余裕時間がマイナス又は所定の値より短いか否かを判定する（ステップＳ２３）。余裕時間がマイナス又は所定の値より短い場合（ステップＳ２３：Ｙｅｓ）、トイレ選定部１０４は、トイレに関する情報に含まれるトイレ使用履歴の情報を参照し、洋式トイレの使用回数と和式トイレの使用回数とを比較する（ステップＳ２４）。洋式トイレの使用回数が和式トイレの使用回数以上の場合（ステップＳ２５：Ｙｅｓ）、トイレ選定部１０４は、洋式トイレを選定する（ステップＳ２６）。一方、洋式トイレの使用回数が和式トイレの使用回数未満の場合（ステップＳ２５：Ｎｏ）、トイレ選定部１０４は、和式トイレを選定する（ステップＳ２７）。表示部１０５は、選定されたトイレの情報を表示する（ステップＳ２８）。
【００５６】
このように、トイレ使用履歴をトイレ選定の指標とすることにより、ユーザの好みに応じたトイレを選定することが可能である。
【００５７】
図１０は、ユーザ端末１０が実行する処理の他の一例を示すフローチャートである。次に、図１０を参照して、トイレ選定部１０４が、ユーザにより入力されたトイレ選定条件に応じてトイレを選定する例を説明する。
【００５８】
設定部１０３は、ユーザの体内の内容物が排泄されるまでの時間を示す排泄到達時間を設定し（ステップＳ３１）、排泄到達時間から排泄不可時間を差し引くことにより算出される時間を余裕時間として設定する（ステップＳ３２）。設定部１０３は、余裕時間がマイナス又は所定の値より短いか否かを判定する（ステップＳ３３）。余裕時間がマイナス又は所定の値より短い場合（ステップＳ３３：Ｙｅｓ）、ユーザは入力部１０６を介して希望するトイレの選定条件を入力し、入力部１０６はこれを受け付ける（ステップＳ３４）。トイレ選定部１０４は、受け付けたトイレの選定条件に合致するトイレを選定する（ステップＳ３５）。表示部１０５は、選定されたトイレの情報を表示する（ステップＳ３６）。
【００５９】
このように、トイレの選定条件をユーザに入力させることで、ユーザの好みにより適したトイレを推奨することができる。
【００６０】
図１１は、ユーザ端末１０が実行する処理の他の一例を示すフローチャートである。次に、図１１を参照して、トイレ選定部１０４が、排泄到達時間が所定の値より短い場合にのみトイレを選定する例を説明する。
【００６１】
設定部１０３は、排泄到達時間を設定し（ステップＳ４１）、排泄到達時間から排泄不可時間を差し引くことにより算出される時間を余裕時間として設定する（ステップＳ４２）。設定部１０３は、余裕時間がマイナス又は所定の値より短いか否かを判定する（ステップＳ４３）。余裕時間がマイナス又は所定の値より短い場合（ステップＳ４３：Ｙｅｓ）、トイレ選定部１０４は、トイレに関する情報と余裕時間とに基づいてユーザに推奨するトイレを選定する（ステップＳ４５）。表示部１０５は、選定されたトイレの情報を表示する（ステップＳ４６）。一方、余裕時間が所定の値以上の場合（ステップＳ４３：Ｎｏ）、設定部１０３は、排泄到達時間が所定の値より短いか否かを判定する（ステップＳ４４）。排泄到達時間が所定の値より短い場合（ステップＳ４４：Ｙｅｓ）、トイレ選定部１０４は、トイレに関する情報と余裕時間とに基づいてユーザに推奨するトイレを選定する（ステップＳ４５）。表示部１０５は、選定されたトイレの情報を表示する（ステップＳ４６）。一方、排泄到達時間が所定の値以上の場合（ステップＳ４４：Ｎｏ）、トイレ選定部１０４はトイレを選定せずに処理を終了する。
【００６２】
図１１に示す例では、排泄到達時間が所定の値より短い場合にトイレを選定し、排泄到達時間が所定の値以上の場合にはトイレを選定しない。排泄到達時間が所定の値以上である場合とは、ユーザの体内の内容物が排泄されるまでの時間が十分に長い場合を意味する。排泄までの時間が十分にある状況であれば、ユーザにトイレに関する情報を提示してトイレに行くことを検討させるまでもない場合が多いと考えられる。そこで、このような場合にはあえてトイレを選定しないという処理フローを採用してもよい。
【００６３】
図１２は、ユーザ端末１０が実行する処理の他の一例を示すフローチャートである。次に、図１２を参照して、トイレ選定部１０４が、トイレに関する情報に含まれるトイレの属性の１つである心理的抵抗に基づいてトイレを選定する例を説明する。
【００６４】
設定部１０３は、排泄到達時間を設定し（ステップＳ５１）、排泄到達時間から排泄不可時間を差し引くことにより算出される時間を余裕時間として設定する（ステップＳ５２）。設定部１０３は、余裕時間がマイナス又は所定の値より短いか否かを判定する（ステップＳ５３）。余裕時間がマイナス又は所定の値より短い場合（ステップＳ５３：Ｙｅｓ）、トイレ選定部１０４は、心理的抵抗の大小に関わらずトイレを選定する（ステップＳ５４）。一方、余裕時間が所定の値以上の場合（ステップＳ５３：Ｎｏ）、心理的抵抗が小さいトイレを選定する（ステップＳ５５）。表示部１０５は、選定されたトイレの情報を表示する（ステップＳ５６）。
【００６５】
余裕時間がマイナス又は所定の値より短い場合、ユーザはできる限り早くトイレに行くべきであり、仮に心理的抵抗が大きいトイレであっても使用するべきと考えられる。つまり、余裕時間がマイナス又は所定の値より短い場合、心理的抵抗の大小はトイレの選定において優先すべき指標になりにくい。一方、余裕時間が所定の値以上の場合、ユーザはトイレに行く時間的な余裕があり心理的抵抗が大きいトイレは避ける傾向にあると考えられるため、心理的抵抗の小さいトイレが選定されることが好ましい。
【００６６】
上述した処理の例では、余裕時間が所定の値より短いか否かをトイレ選定の指標としたが、例えば、余裕時間が長くなるほど心理的抵抗がより小さいトイレを選定するなど、余裕時間の長さと１又は２以上のトイレの属性とを組み合わせてトイレを選定する指標としてもよい。
【００６７】
図１３は、ユーザ端末１０が実行する処理の他の一例を示すフローチャートである。次に、図１３を参照して、トイレ選定部１０４が、位置情報に基づいてトイレを選定する例を説明する。
【００６８】
設定部１０３は、排泄到達時間を設定し（ステップＳ６１）、排泄到達時間から排泄不可時間を差し引くことにより算出される時間を余裕時間として設定する（ステップＳ６２）。設定部１０３は、余裕時間がマイナス又は所定の値より短いか否かを判定する（ステップＳ６３）。余裕時間がマイナス又は所定の値より短い場合（ステップＳ６３：Ｙｅｓ）、位置情報取得部１０７は、ユーザ端末の現在の位置情報を取得する（ステップＳ６４）。トイレ選定部１０４は、現在の位置から近いトイレを選択する（ステップＳ６５）。一方、余裕時間が予定の値以上の場合（ステップＳ６３：Ｎｏ）、心理的抵抗が小さいトイレを選定する（ステップＳ６６）。表示部１０５は、選定されたトイレの情報を表示する（ステップＳ６７）。
【００６９】
余裕時間がマイナス又は所定の値より短い場合、ユーザはできる限り早くトイレに行くべきと考えられる。このため、図１３に示す例では、余裕時間がマイナス又は所定の値より短い場合、トイレ選定部１０４はユーザ端末１０の現在位置から近いトイレを優先的に選定する。
【００７０】
図示はしないが、図１３に示す例の変形例として、余裕時間がマイナスの場合、トイレ選定部１０４はユーザ端末１０の現在位置からの距離が近いトイレを優先的に選定し、余裕時間が所定の値より短い場合、余裕時間の範囲内で行くことが可能な距離に位置するトイレを選定してもよい。
【００７１】
＜２．第２実施形態＞
次に、第２実施形態のトイレ選定システム１Ａについて説明する。図１４は、トイレ選定システム１Ａのシステム構成の一例を示す図である。トイレ選定システム１Ａは、ユーザ端末１０Ａ、データ送信サーバ２０及びネットワーク３０に加えて、排泄予測装置４０を備える。ユーザ端末１０Ａ及びデータ送信サーバ２０のハードウェア構成は、基本的に図２及び図３に示した第１実施形態の構成と同様である。また、データ送信サーバ２０の機能構成は、基本的に図５に示した第１実施形態の機能構成と同様である。以下、上記第１実施形態と異なる点を中心に説明する。
【００７２】
排泄予測装置４０としは、例えば、排尿予測装置、尿量推定装置、排便予測装置、便量推定装置などが挙げられる。排泄予測装置４０は、生体情報を取得するセンサ部、センサ部の出力に基づいて排泄を予測する排泄予測部、排泄予測部から出力されるユーザの排泄予測に関する情報を無線で送信する近距離無線送信部などを備える。近距離無線送信部には、例えば、Bluetooth（登録商標）やＮＦＣ（Near Field Communication）などの近距離無線通信技術による通信プロトコルが適用されてもよく、赤外線通信が適用されてもよい。
【００７３】
排泄予測装置４０から送信されるユーザの排泄予測に関する情報には、例えば、ユーザの体内の内容物が排泄されるまでの時間を示す排泄到達時間、体内に存在する排泄物の量、膀胱の容量、消化管の状態などが含まれうる。
【００７４】
図１５は、ユーザ端末１０Ａの機能構成の一例を示す図である。本実施形態のユーザ端末１０Ａは、図４で示した第１実施形態に係るユーザ端末１０の機能構成に加えて、近距離無線受信部１０８を備える。近距離無線受信部１０８は、通信装置１３により実現され、排泄予測装置４０から送信されたユーザの排泄予測に関する情報を受信する受信ステップを実行する。近距離無線受信部１０８の通信方式には、例えば、Bluetooth（登録商標）やＮＦＣなどの近距離無線通信技術による通信や赤外線通信など、排泄予測装置４０の近距離無線送信部と同じ通信方式が適用される。
【００７５】
第２実施形態のユーザ端末１０Ａは、上記第１実施形態のユーザ端末１０と基本的には同様に機能するものあるが、ユーザの排泄に関する情報として、排泄予測装置４０から受信したユーザの排泄予測に関する情報を用いる。すなわち、本実施形態のユーザ端末１０Ａにおいて、トイレ選定部１０４は、トイレに関する情報と、排泄予測装置４０から受信したユーザの排泄予測に関する情報と、ユーザがトイレに行くことができない時間を示す排泄不可時間と、に基づいてユーザに推奨するトイレを選定するトイレ選定ステップを実行する。上記排泄予測に関する情報には、上記第１実施形態において説明した排泄に関する情報と同様の情報が含まれうる。
【００７６】
本実施形態のトイレ選定システム１Ａは、排泄予測装置４０を備えることにより、ユーザの排泄に関する情報の精度を高めるができるため、ユーザの状況をより正確に予測した上で、ユーザに更に好適なトイレを推奨することが可能である。
【符号の説明】
【００７７】
１，１Ａ  トイレ選定システム
１０  ユーザ端末
２０  データ送信サーバ
３０  ネットワーク
４０  排泄予測装置
【図１】
2020085594.tif 000003
【図２】
2020085594.tif 000004
【図３】
2020085594.tif 000005
【図４】
2020085594.tif 000006
【図５】
2020085594.tif 000007
【図６】
2020085594.tif 000008
【図７】
2020085594.tif 000009
【図８】
2020085594.tif 000010
【図９】
2020085594.tif 000011
【図１０】
2020085594.tif 000012
【図１１】
2020085594.tif 000013
【図１２】
2020085594.tif 000014
【図１３】
2020085594.tif 000015
【図１４】
2020085594.tif 000016
【図１５】
2020085594.tif 000017